(57)【特許請求の範囲】
【請求項１】
ワイヤレス通信のための方法であって、
第１の物理層プロトコルデータユニット（ＰＰＤＵ）を受信することと、
第２のＰＰＤＵを受信することと、
前記第２のＰＰＤＵが前記第１のＰＰＤＵと同じ基本サービスセットに関連づけられているかどうかを決定することと、
前記第２のＰＰＤＵが前記第１のＰＰＤＵと同じ基本サービスセットに関連づけられるときに、応答インジケーション延期カウンタの値を前記第２のＰＰＤＵによって示された値に更新することと、
を備える方法。
【請求項２】
前記第２のＰＰＤＵが前記第１のＰＰＤＵとは異なる基本サービスセットに関連づけられ、前記示された値が前記応答インジケーション延期カウンタの現在の値よりも小さいものではないときに、前記応答インジケーション延期カウンタを前記第２のＰＰＤＵによって示された前記値に更新することをさらに備える、請求項１に記載の方法。
【請求項３】
前記応答インジケーション延期の前記現在の値が、前記第２のＰＰＤＵの終端が受信されたときの前記応答インジケーション延期カウンタの値に対応する、請求項２に記載の方法。
【請求項４】
前記第２のＰＰＤＵのアップリンクインジケーションフィールドがアップリンクＰＰＤＵを示し、前記第２のＰＰＤＵのパーシャルアソシエーション識別情報（パーシャルＡＩＤ）フィールドが前記第１のＰＰＤＵの前記基本サービスセットに関連づけられたアクセスポイントのアドレスを示すときに、前記第２のＰＰＤＵが前記第１のＰＰＤＵと同じ基本サービスセットに関連づけられると決定することをさらに備える、請求項１に記載の方法。
【請求項５】
前記第２のＰＰＤＵのアップリンクインジケーションフィールドがダウンリンクＰＰＤＵを示し、前記第２のＰＰＤＵのＣＯＬＯＲフィールドが、前記第１のＰＰＤＵの前記基本サービスセットに関連づけられたアクセスポイントによって前記第２のＰＰＤＵが生成されたことを示すときに、前記第２のＰＰＤＵが前記第１のＰＰＤＵと同じ基本サービスセットに関連づけられると決定することをさらに備える、請求項１に記載の方法。
【請求項６】
前記第１のＰＰＤＵの少なくとも１つのパラメータに基づいて前記第１のＰＰＤＵに関連づけられた前記基本サービスセットを決定することと、
前記第２のＰＰＤＵの少なくとも１つのパラメータに基づいて前記第２のＰＰＤＵに関連づけられた前記基本サービスセットを決定することと、
をさらに備える、請求項１に記載の方法。
【請求項７】
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、前記方法は、
前記第２のＰＰＤＵの帯域幅フィールド内のインジケーションに基づいて、前記応答インジケーション延期カウンタの前記値を最大ＰＰＤＵ送信時間に設定することをさらに備える、請求項１に記載の方法。
【請求項８】
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、前記方法は、
前記応答インジケーション延期カウンタの前記値を、前記第２のＰＰＤＵに関連づけられた前記基本サービスセットの送信機会リミットに設定することをさらに備える、
請求項１に記載の方法。
【請求項９】
実行されたときに請求項１〜請求項８のいずれか一項に記載の方法に従ったステップをプロセッサに実行させるコードを備える、コンピュータプログラム。
【請求項１０】
ワイヤレス通信のための装置であって、
第１のＰＰＤＵを受信するための手段と、
第２のＰＰＤＵを受信するための手段、ここにおいて、前記装置は、前記第２のＰＰＤＵが前記第１のＰＰＤＵと同じ基本サービスセットに関連づけられているかどうかを決定するように適合され、前記装置は、
前記第２のＰＰＤＵが前記第１のＰＰＤＵと同じ基本サービスセットに関連づけられるときに、応答インジケーション延期カウンタを前記第２のＰＰＤＵによって示された値に更新するための手段をさらに備える、と、
を備える、装置。
【請求項１１】
前記第２のＰＰＤＵが前記第１のＰＰＤＵとは異なる基本サービスセットに関連づけられ、前記示された値が前記応答インジケーション延期カウンタの現在の値よりも小さいものではないときに、前記応答インジケーション延期カウンタを前記第２のＰＰＤＵによって示された値に更新するための手段をさらに備える、請求項１０に記載の装置。
【請求項１２】
前記第２のＰＰＤＵのアップリンクインジケーションフィールドがアップリンクＰＰＤＵを示し、前記第２のＰＰＤＵのパーシャルＡＩＤフィールドが前記第１のＰＰＤＵの前記基本サービスセットのアクセスポイントのアドレスを示すときに、前記第２のＰＰＤＵが前記第１のＰＰＤＵと同じ基本サービスセットに関連づけられることを決定するための手段をさらに備える、請求項１０に記載の装置。
【請求項１３】
前記第２のＰＰＤＵのアップリンクインジケーションフィールドがダウンリンクＰＰＤＵを示し、前記第２のＰＰＤＵのＣＯＬＯＲフィールドが前記第１のＰＰＤＵの前記基本サービスセットに関連づけられたアクセスポイントによって前記第２のＰＰＤＵが生成されたことを示すときに、前記第２のＰＰＤＵが前記第１のＰＰＤＵと同じ基本サービスセットに関連づけられると決定するための手段をさらに備える、請求項１０に記載の装置。
【請求項１４】
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、前記装置が、
前記第２のＰＰＤＵの帯域幅フィールド内のインジケーションに基づいて、前記応答インジケーション延期カウンタの前記値を最大ＰＰＤＵ送信時間に設定するための手段をさらに備える、請求項１０に記載の装置。
【請求項１５】
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、前記装置が、
前記応答インジケーション延期カウンタの前記値を、前記第２のＰＰＤＵに関連づけられた前記基本サービスセットの送信機会リミットに設定するための手段をさらに備える、請求項１０に記載の装置。
【発明の詳細な説明】
【技術分野】
【０００１】
[0001]  本願は、一般にワイヤレス通信に関し、より詳細には、ワイヤレスネットワークにおいて応答インジケーション延期を動的に設定するシステム、方法、およびデバイスに関する。
【背景技術】
【０００２】
[0002]  ワイヤレス局は、遅延、スループット、および競合しているワイヤレスデバイス間のチャネル利用公平性に関して、各々が異なるサービス品質（ＱｏＳ）要件を有する異なるチャネル帯域幅を利用して送受信し得る。特定のワイヤレスローカルアクセスネットワーク（ＷＬＡＮ）内でのデータ伝送衝突を回避するために、ワイヤレス局は、それらの関連づけられたＲＩＤカウンタが非ゼロ値を有する間はデータを送信しないようにワイヤレス局の各々に指示する、応答延期インジケーション（ＲＩＤ：response deferral indication）カウンタの使用を採用することができる。しかしながら、ロングレスポンスワイヤレス通信フレームに関する従来のプロトコルは、常に、ワイヤレス局にそれらのＲＩＤカウンタを予め定められた静的値に設定するように指示する。このような予め定められた静的値は、関連づけられた同じ基本サービスセット（ＢＳＳ）においてワイヤレスデバイスについて定められた送信機会（ＴＸＯＰ）リミット持続時間（transmit opportunity (TXOP) limit durations）に比べて比較的長いものであり得る。これは、ＷＬＡＮのスループット効率を低減するＢＳＳに関連づけられたワイヤレス局にとって過剰な応答延期時間をまねき得る。
【発明の概要】
【０００３】
[0003]  本開示の一態様は、ワイヤレス通信のための方法を提供する。該方法は、第１の物理層プロトコルデータユニット（ＰＰＤＵ）を受信することを備える。該方法は、第２のＰＰＤＵを受信することを備える。該方法は、第２のＰＰＤＵが第１のＰＰＤＵと同じ基本サービスセットに関連づけられるときに、第２のＰＰＤＵによって示された値に応答インジケーション延期カウンタの値を更新することを備える。
【０００４】
[0004]  他の態様は、ワイヤレス通信のための装置を開示する。該装置は、第１のＰＰＤＵを受信し、第２のＰＰＤＵを受信するように構成された受信機を備える。該装置は、第２のＰＰＤＵが第１のＰＰＤＵと同じ基本サービスセットに関連づけられるときに、第２のＰＰＤＵによって示された値に応答インジケーション延期カウンタを更新するように構成されたプロセッサを備える。
【０００５】
[0005]  他の態様は、実行されたときに、ワイヤレス通信の方法をプロセッサに実施させるコードを備える、非一時的コンピュータ可読媒体を開示する。該方法は、第１の物理層プロトコルデータユニット（ＰＰＤＵ）を受信することを備える。該方法は、第２のＰＰＤＵを受信することを備える。該方法は、第２のＰＰＤＵが第１のＰＰＤＵと同じ基本サービスセットに関連づけられるときに、第２のＰＰＤＵによって示された値に応答インジケーション延期カウンタの値を更新することを備える。
【０００６】
[0006]  他の態様は、ワイヤレス通信のための装置を開示する。該装置は、第１のＰＰＤＵを受信するための手段を備える。該装置は、第２のＰＰＤＵを受信するための手段を備える。該装置は、第２のＰＰＤＵが第１のＰＰＤＵと同じ基本サービスセットに関連づけられるときに、第２のＰＰＤＵによって示された値に応答インジケーション延期カウンタを更新するための手段を備える。
【図面の簡単な説明】
【０００７】
【図１】[0007]  図１は、本開示の諸態様が使用され得るワイヤレス通信システムの一例を示す。
【図２】[0008]  図２は、図１のワイヤレス通信システム内で用いられ得る例示的なワイヤレスデバイスの機能ブロック図を示す。
【図３】[0009]  図３は、例示的な実装形態による、送信デバイスの送信ベクトルアレイ（ＴＸＶＥＣＴＯＲ）から物理層プロトコルデータユニット（ＰＰＤＵ）への、およびＰＰＤＵから受信デバイスの受信ベクトルアレイ（ＲＸＶＥＣＴＯＲ）への、情報の移動を示す図である。
【図４】[0010]  図４は、例示的な実装形態による、ＰＰＤＵの１つまたは複数の信号（ＳＩＧ）フィールド内の例示的なフィールドを示すフレーム図である。
【図５】[0011]  図５は、例示的な実装形態によるワイヤレス通信のための方法のフローチャートである。
【図６】[0012]  図６は、他の例示的な実装形態によるワイヤレス通信のための方法のフローチャートである。
【詳細な説明】
【０００８】
[0013]  新規なシステム、装置、および方法の様々な態様が、添付の図面を参照して以下でより詳細に説明される。しかしながら、本開示の教示は、多くの異なる形態で具現化されることができ、この開示の全体にわたって提示されるいずれか特定の構造または機能に限定されるものと解釈されるべきではない。むしろ、これらの態様は、本開示が十分かつ完全となり、当業者に本開示の範囲を十分に伝えるように提供される。ここでの教示に基づき、当業者は、本開示の範囲が、本発明のその他任意の態様と組み合わされて実装されようと、あるいは独立して実装されようと、ここに開示される新規なシステム、装置、および方法のあらゆる態様に及ぶことが意図されていることを理解すべきである。例えば、ここで説明される任意の数の態様を使用して、装置が実装され、または方法が実施されうる。さらに、本発明の範囲は、他の構造、機能、あるいは、本明細書に述べられる発明の様々な態様に加えてまたはそれ以外の構造および機能を使用して実現されるような装置または方法に及ぶことが意図されている。ここで開示される任意の態様が、特許請求の範囲の１つまたは複数の要素によって具現化されうることが理解されるべきである。
【０００９】
[0014]  本明細書では特定の態様について説明するが、これらの態様の多くの変形および置換が本開示の範囲内にある。好ましい態様のいくつかの利益および利点が説明されるが、本開示の範囲は、特定の利益、使用、または目的に限定されることを意図されていない。むしろ、本開示の態様は、異なるワイヤレス技術、システム構成、ネットワーク、および伝送プロトコルに広く適用可能であることが意図されており、そのうちのいくつかは、図面および以下の好ましい態様についての説明において、例として示される。詳細な説明および図面は、添付の特許請求の範囲およびその均等物によって定義される本開示の範囲を限定するのではなく、本開示の単なる例示にすぎない。
【００１０】
[0015]  ワイヤレスネットワーク技術は、ワイヤレスローカルエリアネットワーク（ＷＬＡＮ）の様々なタイプを含みうる。ＷＬＡＮは、広く使用されるネットワーキングプロトコルを用いて、近くのデバイスを共に相互接続するために使用されうる。ここで説明される様々な態様は、ＷｉＦｉ、またはより一般的に、ワイヤレスプロトコルのＩＥＥＥ８０２．１１ファミリの任意のメンバのような、任意の通信規格に適用されうる。例えば、ここで説明される様々な態様は、サブ１ＧＨｚ帯域を使用する、ＩＥＥＥ８０２．１１ａｈプロトコルの一部として使用されうる。
【００１１】
[0016]  いくつかの態様では、サブギガヘルツ帯域におけるワイヤレス信号は、直交周波数分割多重化（ＯＦＤＭ）、直接拡散方式（ＤＳＳＳ）通信、ＯＦＤＭとＤＳＳＳ通信の組み合わせ、または他のスキームを使用する８０２．１１ａｈプロトコルにしたがって送信され得る。８０２．１１ａｈプロトコルのインプリメンテーションは、センサ、メータリング（metering）、およびスマートグリッドネットワークのために使用されうる。有利なことに、８０２．１１ａｈプロトコルを実装するある特定のデバイスの態様は、他のワイヤレスプロトコルを実装するデバイスよりも少ない電力を消費し、および／または比較的長いレンジ（例えば約１キロメートル以上）にわたってワイヤレス信号を送信するために使用されうる。
【００１２】
[0017]  いくつかの実装形態では、ＷＬＡＮは、ワイヤレスネットワークにアクセスするコンポーネントである様々なデバイスを含む。例えば、アクセスポイント（「ＡＰ」）とクライアント（ワイヤレス局、または「ＳＴＡ」とも称される）との２つのタイプのデバイスが存在しうる。一般に、ＡＰは、ＷＬＡＮのためのハブまたは基地局の役割を果たし、ＳＴＡは、ＷＬＡＮのユーザの役割を果たす。例えば、ＳＴＡは、ラップトップコンピュータ、携帯情報端末（ＰＤＡ）、モバイル電話機、等であり得る。一例では、ＳＴＡは、インターネットまたは他のワイドエリアネットワークへの一般的な接続性を得るためにＷｉＦｉ（例えば、８０２．１１ａｈなどのＩＥＥＥ８０２．１１プロトコル）準拠ワイヤレスリンクを介してＡＰに接続する。いくつかの実装形態では、ＳＴＡは、ＡＰとしても使用されうる。
【００１３】
[0018]  アクセスポイント（「ＡＰ」）はまた、ＮｏｄｅＢ、無線ネットワークコントローラ（「ＲＮＣ」）、ｅＮｏｄｅＢ、基地局制御装置（「ＢＳＣ」）、基地トランシーバ局（「ＢＴＳ」）、基地局（「ＢＳ」）、トランシーバ機能（「ＴＦ」）、無線ルータ、無線トランシーバ、または他の何らかの用語を備え、またはそれらとして実装され、あるいはそれらとして知られうる。
【００１４】
[0019]  局「ＳＴＡ」はまた、アクセス端末（「ＡＴ」）、加入者局、加入者ユニット、モバイル局、遠隔局、遠隔端末、ユーザ端末、ユーザエージェント、ユーザデバイス、ユーザ機器、または何らかの他の用語を備え、それらとして実装され、またはそれらとして知られうる。いくつかの実装形態では、アクセス端末は、セルラ電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、またはワイヤレスモデムに接続された何らかの他の適切な処理デバイスを備えうる。それゆえに、本明細書で教示される１つまたは複数の態様は、電話（例えば、セルラ電話またはスマートフォン）、コンピュータ（例えば、ラップトップ）、ポータブル通信デバイス、ヘッドセット、ポータブルコンピューティングデバイス（例えば、携帯情報端末）、エンターテインメントデバイス（例えば、音楽またはビデオデバイス、または衛星ラジオ）、ゲームデバイスまたはシステム、グローバルポジショニングシステムデバイス、あるいはワイヤレス媒体を介して通信するように構成された任意の他の適切なデバイス中に組み込まれ得る。
【００１５】
[0020]  上述されたように、ここで説明されるデバイスのうちの特定のものは、例えば、８０２．１１ａｈ規格を実装しうる。そのようなデバイスは、ＳＴＡとして使用されるかＡＰとして使用されるかまたは他のデバイスとして使用されるかに関わらず、スマートメータリング（smart metering）のために、またはスマートグリッドネットワーク（smart grid network）において使用され得る。このようなデバイスは、センサアプリケーションを提供し、またはホームオートメーション（home automation）において使用されうる。これらのデバイスは、代わりにまたは加えて、例えば、パーソナルヘルスケアのために、ヘルスケアコンテキストにおいて使用されうる。これらはまた、（例えば、ホットスポットとともに使用するための）拡張レンジのインターネット接続性を可能にするために、またはマシンツーマシン通信をインプリメントするために、監視（surveillance）のために使用されうる。
【００１６】
[0021]  図１は、本開示の諸態様が用いられうるワイヤレス通信システム１００の一例を示す。ワイヤレス通信システム１００は、ワイヤレス規格（例えば、８０２．１１ａｈ規格）に準拠して動作しうる。ワイヤレス通信システム１００は、ＳＴＡ１０６ａ、１０６ｂ、１０６ｃ、および１０６ｄ（まとめてＳＴＡ１０６ａ〜１０６ｄ）と通信するＡＰ１０４ａを含み得る。ワイヤレス通信システム１００は、さらに、ＳＴＡ１０６ｅ、１０６ｆ、１０６ｇ、および１０６ｈ（まとめてＳＴＡ１０６ｅ〜１０６ｈ）と通信するＡＰ１０４ｂをさらに含み得る。
【００１７】
[0022]  ＡＰ１０４ａから、例えば、ＳＴＡ１０６ａ〜１０６ｄのうちの１つまたは複数ヘの送信を容易にする通信リンクは、ダウンリンク（ＤＬ）１０８と呼ばれることがあり、ＳＴＡ１０６ａ〜１０６ｄのうちの１つまたは複数から、例えば、ＡＰ１０４ａへの送信を容易にする通信リンクは、アップリンク（ＵＬ）１１０と呼ばれることがある。代替的に、ダウンリンク１０８は、順方向リンクまたは順方向チャネルと呼ばれることもあり、アップリンク１１０は、逆方向リンクまたは逆方向チャネルと呼ばれることもある。同じ用語が、ＡＰ１０４ｂと、ＳＴＡ１０６ｅ〜１０６ｈのうちの１つまたは複数との間の伝送を指し得る。
【００１８】
[0023]  ＡＰ１０４ａおよび１０４ｂの各々が、基地局の役割を果たし、それぞれ、基本サービスエリア（ＢＳＡ）１０２ａおよび１０２ｂにおいてワイヤレス通信カバレッジを提供し得る。一実装形態では、ＡＰ１０４ａは、ＡＰ１０４ａに関連づけられた、そしてＡＰ１０４ａを使用する、ＳＴＡ１０６ａ〜１０６ｄとともに、基本サービスセット（ＢＳＳ）と呼ばれ得る。同様に、ＡＰ１０４ａのＢＳＳに関して、ＡＰ１０４ｂは、ＡＰ１０４ｂに関連づけられた、そして、通信のためにＡＰ１０４ｂを使用する、ＳＴＡ１０６ｅ〜１０６ｈとともに、重複する基本サービスセット（ＯＢＳＳ）または異なるＢＳＳと呼ばれ得る。通信の矢印がＡＰ１０４ａまたはＳＴＡ１０６ａ〜１０６ｄのいずれかとＡＰ１０４ｂまたはＳＴＡ１０６ｅ〜１０６ｈのいずれかとの間では示されていないが、ＡＰ１０４ｂまたはＳＴＡ１０６ｅ〜１０６ｈのうちの１つまたは複数から送信された信号は、例えば、ＳＴＡ１０６ａ〜１０６ｄのうちの１つまたは複数によって、非意図的に、または望まれずに、検出または受信されることがある。
【００１９】
[0024]  図２は、ワイヤレス通信システム１００内で用いられうるワイヤレスデバイス２０２において利用されうる様々なコンポーネントを例示する。ワイヤレスデバイス２０２は、ここで説明される様々な方法を実装するように構成されうるデバイスの例である。例えば、ワイヤレスデバイス２０２は、図１に示される、ＡＰ１０４ａ、ＡＰ１０４ｂ、あるいはＳＴＡ１０６ａ〜１０６ｈのうちの１つを備え得る。
【００２０】
[0025]  ワイヤレスデバイス２０２は、ワイヤレスデバイス２０２の動作を制御するプロセッサ２０４を含みうる。プロセッサ２０４はまた、中央処理ユニット（ＣＰＵ）、またはハードウェアプロセッサとも呼ばれ得る。読取専用メモリ（ＲＯＭ）、ランダムアクセスメモリ（ＲＡＭ）、および不揮発性ランダムアクセスメモリ（ＮＶＲＡＭ）のうちの１つまたは複数を含み得るメモリ２０６は、プロセッサ２０４に命令およびデータを提供し得る。プロセッサ２０４は、通常、メモリ２０６内に記憶されたプログラム命令に基づいて、論理および算術演算を実行する。メモリ２０６内の命令は、ここにおいて説明される方法のうちの１つまたは複数をインプリメントするために実行可能であり得る。
【００２１】
[0026]  ワイヤレスデバイス２０２が送信ノードとして実装または使用されるときには、プロセッサ２０４は、複数の物理層コンバージェンスプロシージャ（ＰＬＣＰ：Physical Layer Convergence Procedure）、すなわち、ＰＨＹヘッダタイプのうちの１つを選択し、そのＰＨＹヘッダタイプを有するパケットを生成するように構成され得る。
【００２２】
[0027]  ワイヤレスデバイス２０２が受信ノードとして実装または使用されるときには、プロセッサ２０４は、複数の異なるＰＨＹヘッダタイプのパケットを処理するように構成されうる。例えば、プロセッサ２０４は、パケットにおいて使用されるＰＨＹヘッダのタイプを決定し、それに応じてパケットおよび／またはＰＨＹヘッダのフィールドを処理するように構成され得る。
【００２３】
[0028]  プロセッサ２０４は、１つまたは複数のプロセッサでインプリメントされる処理システムのコンポーネントであり得、またはそれを備え得る。１つまたは複数のプロセッサは、汎用マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、コントローラ、ステートマシン、ゲート論理、ディスクリートハードウェアコンポーネント、専用ハードウェア有限ステートマシン、または計算もしくは情報の他の操作を実行しうるその他任意の適切なエンティティの任意の組み合わせでインプリメントされうる。
【００２４】
[0029]  処理システムは、また、ソフトウェアを記憶する、および／またはコードを備える、非一時的なコンピュータ可読媒体を含み得る。ソフトウェアは、ソフトウェア、ファームウェア、ミドルウェア、マイクロコード、ハードウェア記述言語、またはその他のいずれで呼ばれるかにかかわらず、任意のタイプの命令を意味するように広く解釈される。命令は、（例えば、ソースコードフォーマット、バイナリコードフォーマット、実行可能コードフォーマット、またはその他任意の適切なコードのフォーマットにおいて）コードを含みうる。これら命令は、１つまたは複数のプロセッサによって実行されたとき、処理システムに、ここで説明される様々な機能を実行させる。
【００２５】
[0030]  ワイヤレスデバイス２０２は、また、ワイヤレスデバイス２０２とリモートロケーションとの間のデータの送信および受信を可能にするために送信機２１０および受信機２１２を含み得るハウジング２０８も含み得る。送信機２１０および受信機２１２は、トランシーバ２１４に統合され得る。アンテナ２１６は、ハウジング２０８に取り付けられ、トランシーバ２１４に電気的に結合されうる。ワイヤレスデバイス２０２は、また、（図示されていない）複数の送信機、複数の受信機、複数のトランシーバ、および／または複数のアンテナも含み得る。
【００２６】
[0031]  送信機２１０は、異なるＰＨＹヘッダタイプを有するパケットをワイヤレスに送信するように構成され得る。例えば、送信機２１０は、前述のように、プロセッサ２０４によって生成された異なるタイプのヘッダとともにパケットを送信するように構成され得る。
【００２７】
[0032]  受信機２１２は、異なるＰＨＹヘッダタイプを有するパケットをワイヤレスに受信するように構成され得る。いくつかの態様では、受信機２１２は、使用されるＰＨＹヘッダのタイプを検出し、それに応じてパケットを処理するように構成される。
【００２８】
[0033]  ワイヤレスデバイス２０２はまた、トランシーバ２１４によって受信された信号のレベルを検出し、定量化しようとするために使用され得る信号検出器２１８を含み得る。信号検出器２１８は、総エネルギー、シンボルあたりのサブキャリアごとのエネルギー、電力スペクトル密度、および他の信号のような信号を検出し得る。ワイヤレスデバイス２０２はまた、信号を処理する際に使用するための、デジタル信号プロセッサ（ＤＳＰ）２２０も含み得る。ＤＳＰ２２０は、送信用のデータユニットを生成するように構成されうる。いくつかの態様では、データユニットは、物理レイヤデータユニット（ＰＰＤＵ）を備えうる。いくつかの態様では、ＰＰＤＵは、パケットと称される。
【００２９】
[0034]  ワイヤレスデバイス２０２は、いくつかの態様では、ユーザインタフェース２２２をさらに備えうる。ユーザインタフェース２２２は、キーパッド、マイクロフォン、スピーカ、および／またはディスプレイを備えうる。ユーザインタフェース２２２は、ワイヤレスデバイス２０２のユーザに情報を伝えるおよび／またはユーザからの入力を受信する任意の要素またはコンポーネントを含みうる。
【００３０】
[0035]  ワイヤレスデバイス２０２は、いくつかの態様では、応答インジケーション延期（ＲＩＤ）カウンタ２２４をさらに備え得る。ＲＩＤカウンタ２２４は、そのＢＳＳ内で関連づけられた、またはＯＢＳＳのＡＰに関連づけられた１つまたは複数の他のワイヤレスデバイスとのデータ衝突を回避するためにワイヤレスデバイス２０２がその間はデータのパケットを送信しない、応答インジケーション延期時間を追跡し得る。
【００３１】
[0036]  ワイヤレスデバイス２０２の多様なコンポーネントは、バスシステム２２６によって共に結合され得る。バスシステム２２６は、データバスのみならず、例えば、データバスに加えて、電力バス、制御信号バス、およびステータス信号バスを含みうる。当業者であれば、ワイヤレスデバイス２０２のコンポーネントは、他の何らかのメカニズムを使用して、共に結合されることができ、または互いに入力を受け取るまたは提供することができることを理解するであろう。
【００３２】
[0037]  いくつかの別個のコンポーネントが図２に例示されているが、コンポーネントのうちの１つまたは複数が、組み合わされ、または共通にインプリメントされうる。例えば、プロセッサ２０４は、プロセッサ２０４に関して上記に説明された機能をインプリメントするのみならず、信号検出器２１８、ＤＳＰ２２０、および／またはＲＩＤカウンタ２２４（例えば、メモリ２０６とともに）に関して上記に説明された機能をインプリメントするためにも使用されうる。さらに、図２に例示されるコンポーネントの各々は、複数の別個の要素を使用してインプリメントされうる。さらに、プロセッサ２０４は、後述するコンポーネント、モジュール、回路、または類似のもののいずれかを実装するために使用されることができ、あるいは、各々が、複数の別個の要素を使用して実装され得る。
【００３３】
[0038]  本明細書に記載された特定の実装形態は、スマートメータリングのために使用され得る、またはスマートグリッドネットワークにおいて使用され得る、ワイヤレス通信システムを対象とし得る。これらのワイヤレス通信システムは、センサアプリケーションを提供するために使用されることができ、あるいはホームオートメーションにおいて使用されることができる。このようなシステムで使用されるワイヤレスデバイスは、代わりに、あるいは追加的に、ヘルスケアコンテキストにおいて、たとえばパーソナルヘルスケアのために使用されることもできる。それらは、また、拡張範囲インターネット接続を可能にするために（例えば、ホットスポットとともに使用するために)、あるいはマシンツーマシン通信をインプリメントするために、監視のために使用され得る。したがって、いくつかの実装形態は、約１５０Ｋｂｐｓなどの低いデータレートを使用し得る。諸実装形態は、さらに、８０２．１１ｂなどの他のワイヤレス通信を通じたリンクバジェット利得を増大させ得る（例えば、約２０ｄＢ）。低いデータレートに従って、ワイヤレスノードが家庭環境での使用のために構成される場合、特定の態様が、電力増幅なしに良好な家庭内カバレッジをもつ実装形態を対象とし得る。さらに、特定の態様が、ＭＥＳＨプロトコルを使用しないシングルホップネットワーキングを対象とし得る。加えて、特定の実装形態が、他のワイヤレスプロトコルよりも優る電力増幅を伴う有意な屋外カバレッジ改善をもたらし得る。さらに、特定の態様は、大きな屋外遅延拡散に対応し得る、およびドップラー（Ｄｏｐｐｌｅｒ）に対する感受性の低減された、実装形態を対象とし得る。特定の実装形態が、従来のＷｉＦｉと同様のＬＯ精度を達成し得る。
【００３４】
[0039]  したがって、特定の実装形態は、サブギガヘルツバンドにおける低い帯域幅でワイヤレス信号を送ることを対象とする。例えば、１つの例示的な実装形態では、シンボルは、１ＭＨｚの帯域幅を使用して送信または受信されるように構成され得る。図２のワイヤレスデバイス２０２は、いくつかのモードのうちの１つで動作するように構成され得る。１つのモードでは、直交周波数分割多重（ＯＦＤＭ）シンボルなどのシンボルは、１ＭＨｚの帯域幅を使用して送信または受信され得る。他のモードでは、シンボルは、２ＭＨｚの帯域幅を使用して送信または受信され得る。追加のモードが、また、４ＭＨｚ、８ＭＨｚ、１６ＭＨｚなどの帯域幅を使用してシンボルを送信または受信するために提供され得る。帯域幅は、また、チャネル帯域幅とも呼ばれ得る。
【００３５】
[0040]  ＡＰおよびＳＴＡによって交換される、または１つのＳＴＡと別のＳＴＡとの間で交換されるデータユニットは、前述のように、制御情報またはデータを含み得る。このような情報またはデータは、送信デバイスのＴＸＶＥＣＴＯＲアレイおよび受信デバイスのＲＸＶＥＣＴＯＲアレイを用いて送信デバイスから受信デバイスに送信され得、ここで、ＰＰＤＵは、デバイス間で情報を搬送する。図３は、例示的な実装形態にしたがって、送信デバイス（３０２）のＴＸＶＥＣＴＯＲ３０６からＰＰＤＵ３００への、およびＰＰＤＵ３００から受信デバイス（３０４）のＲＸＶＥＣＴＯＲ３０８への、情報の移動を示す図である。ＰＰＤＵ３００の送信前に、ＰＰＤＵ３００の１つまたは複数のサブフィールド（図４参照）が、送信側ワイヤレスデバイス３０２によって生成された送信ベクトル（ＴＸＶＥＣＴＯＲ）３０６と呼ばれるデータのアレイによってポピュレートされ得る。ＰＰＤＵ３００がその後受信デバイス３０４によって受信されるときには、送信側ワイヤレスデバイス３０２のＴＸＶＥＣＴＯＲ３０６によって予めポピュレートされた、ＰＰＤＵ３００の１つまたは複数のサブフィールドが、受信デバイス３０４において受信ベクトル（ＲＸＶＥＣＴＯＲ）３０８と呼ばれる別のデータアレイをポピュレートするために用いられ得る。受信デバイスは、ＰＰＤＵ３００内のデータの処理および受信デバイス３０４の動作を制御するために、受信されたＰＰＤＵ３００の１つまたは複数のサブフィールドからポピュレートされたＲＸＶＥＣＴＯＲ３０８内の情報を用いることができる。
【００３６】
[0041]  図４は、例示的な実装形態による、物理層プロトコルデータユニット（ＰＰＤＵ）３００の１つまたは複数のシグナル（ＳＩＧ）フィールド４０６内の例示的なフィールドを示すフレーム図である。図４に示されたＰＰＤＵ３００は、それに対する改善の理解のために必要なフィールドまたはフィーチャだけを示しているので、ＰＰＤＵ３００は、図示されているよりも多くのフィールドおよび／またはサブフィールドを含み得る。ＰＰＤＵ３００は、プリアンブル４０２およびペイロード４０４を備え得る。プリアンブル４０２は、トレーニングフィールド（図示せず）および１つまたは複数のシグナル（ＳＩＧ）フィールド４０６を含み得る。ＰＰＤＵ３００の送信前に、ＳＩＧフィールド４０６の１つまたは複数のサブフィールドが図３に関して前述したようにＴＸＶＥＣＴＯＲによってポピュレートされ得る。サブフィールドは、変調およびコーディングスキーム（ＭＣＳ）フィールド４０８、帯域幅（ＢＷ）フィールド４１０、パーシャル（partial）アソシエーションＩＤ（ＡＩＤ）フィールド４１２、ＣＯＬＯＲフィールド４１４、アップリンクインジケーションフィールド４１６、空間ストリーム（ＳＳ）フィールド４１８、および応答インジケーションフィールド４２０を含み得る。ＳＩＧフィールド４０６の前述のサブフィールドは特定の順序で示されているが、本願は、それだけに限定されるものではなく、前述のサブフィールドの任意のサブセット、および／または本明細書で言及されていない追加のフィールドまたはサブフィールドが、ＰＰＤＵ３００のプリアンブル４０２、ＳＩＧフィールド４０６、および／またはペイロード４０４に含まれ得る。
【００３７】
[0042]  ＭＣＳフィールド４０８は、ＰＰＤＵ３００が利用する変調およびコーディングスキームを示し得る。ＢＷフィールド４１０は、ＰＰＤＵ３００がそれにより送信されるべきチャネル帯域幅を示し得る。例えば、ＢＷフィールド４１０の値は、１ＭＨｚ、２ＭＨｚ、４ＭＨｚ、８ＭＨｚ、または１６ＭＨｚを含み、ここで、より低い帯域幅は、一般に、より高い帯域幅よりも、低い伝送レートを提供する。パーシャルＡＩＤフィールド４１２は、受信デバイスがそこからＰＰＤＵ３００を生成したＳＴＡの基本サービスセット（ＢＳＳ）を識別し得る情報を含み得る。例えば、パーシャルＡＩＤフィールド４１２は、ＰＰＤＵ３００がそのＢＳＳのＡＰにアドレスされた場合、パーシャルＢＳＳＩＤに設定され得る。ＣＯＬＯＲフィールド４１４は、また、ＰＰＤＵ３００が関連づけられた特定のＢＳＳを示し得る。例えば、ＰＰＤＵ３００を送信するＡＰは、０〜７の範囲内のその選択値にＣＯＬＯＲフィールド４１４を設定し、ＢＳＳの存在する持続時間についてＢＳＳにおけるすべての送信についてその値を維持することになる。１つの例では、ＣＯＬＯＲフィールド４１４は、ＳＩＧフィールド４０６内のパーシャルＡＩＤフィールド４１２の一部であり得る。アップリンクインジケーションフィールド４１６は、送信されるべきデータがアップリンクデータであるかまたはダウンリンクデータであるかを示し得る。例えば、関連づけられたＡＰにアドレスされたＰＰＤＵ３００を送信しているＳＴＡ（例えば、ＳＴＡ１０６ａ〜１０６ｈ）は、アップリンクインジケーションフィールド４１６を１に設定し得る。これに反して、関連づけられたＳＴＡにアドレスされたＰＰＤＵ３００を送信しているＡＰ（例えば、ＡＰ１０４ａおよび／または１０４ｂ）、または別のＳＴＡに直接送信しているＳＴＡは、アップリンクインジケーションフィールド４１６を０に設定し得る。パーシャルＡＩＤフィールド４１２、アップリンクインジケーションフィールド４１６、およびＣＯＬＯＲフィールド４１４が、１ＭＨｚＰＰＤＵフレーム内に存在しないことがあることに留意すべきである。応答インジケーションフィールド４２０は、ＰＰＤＵの期待される応答のタイプを識別し得る。例えば、応答インジケーションフィールド４２０は、無応答（no response）、ヌルデータパケット（ＮＤＰ）応答（a null data packet (NDP) response）、通常応答（a normal response）（例えば、ＮＤＰ応答ではない、最大で第１の長さまでの持続時間または長さを有する応答）、あるいはロング応答（a long response）（例えば、ＮＤＰ応答ではない、第１の長さよりも大きい持続時間または長さを有する応答）を示し得る。応答インジケーションフィールド４２０により、ＰＰＤＵ３００を受信するいずれのワイヤレスデバイスも、意図された受信デバイスからの応答として送信デバイスが期待しているＰＰＤＵとのデータ伝送衝突を回避するためにチャネル上でそれがサイレントのままであるべき時間の長さを決定できるようになる。異なった応答送信時間の持続時間（すなわち、RespTxTime）を有し得る、意図された受信機からの期待される応答は、現在のＰＰＤＵ３００の終端（end）からショートインターフレームスペーシング（ＳＩＦＳ）時間後にく��ことになり得る。ＳＩＦＳ＋RespTxTimeの時間の長さは、応答インジケーション延期時間と呼ばれ得る。
【００３８】
[0043]  ワイヤレスデバイス（例えば、ＳＴＡ１０６ａ〜１０６ｈ）は、何らかのはじめに設定されたまたはリセットされた値から均一なレートで０までカウントダウンする、応答インジケーション延期（ＲＩＤ）カウンタ（例えば、図２に示したＲＩＤカウンタ２２４）を用いて、応答インジケーション延期時間を追跡し得る。特定のＳＴＡのＲＩＤカウンタおよびネットワーク割当てベクトル（ＮＡＶ）の両方が０に設定されるときには、特定のＳＴＡ内の仮想キャリアセンスインジケーションは、媒体がアイドルであると決定し得る。対照的に、ＮＡＶおよびＲＩＤカウンタのいずれかが非ゼロであるときには、インジケーションは媒体がビジーであるというものになる。媒体は、また、特定のＳＴＡが送信しているときにもビジーと示される。
【００３９】
[0044]  Ｓ１Ｇ ＳＴＡは、前述したように１ＭＨｚ〜１６ＭＨｚの異なる帯域幅で動作する、したがって異なるサービス品質（ＱｏＳ)要件を有する、センサまたはオフローディングデバイスであり得る。例えば、オフローディングデバイスは、遅延、スループット、および公平性（fairness）に関して厳しいＱｏＳ要件を有する。前述のように、応答インジケーションフィールドは、ＰＰＤＵが、無応答、ヌルデータパケット応答、通常応答、またはロング応答を有することを示し得る。従来、ロング応答に設定された応答インジケーションフィールドを有するＰＰＤＵをＳＴＡが受信するときには、ＳＴＡは、それのＲＩＤカウンタを、最大許容ＰＰＤＵ送信時間（MaxPPDUTxTime）に等しい、予め定められた静的な値に設定し、その最大許容ＰＰＤＵ送信時間は、いくつかの実装形態では約２７ｍｓ（例えば、２７．８４０ｍｓ）に等しいものであり得る。これは、Ｓ１Ｇ ＢＳＳに関連づけられたＳＴＡの遅延要件を満たすために、Ｓ１Ｇ ＢＳＳが数ミリ秒（例えば、４ｍｓ）程度の限定された送信機会（ＴＸＯＰ）持続時間を利用して動作し得ることを考えると、相対的に言って、ＳＴＡにとってサイレントであるべき非常に長い持続時間である。よって、本明細書で説明した実装形態の１つまたは複数について、ＳＴＡ（例えば、ＳＴＡ１０６ａ〜１０６ｈのうちの１つ）は、過剰な応答延期時間を短縮するために、送信ワイヤレスデバイスのＴＸＶＥＣＴＯＲによってポピュレートされた、ＳＩＧフィールドの前述したサブフィールドのうちの１つまたは複数における情報を利用し得る。したがって、以下で説明するＲＩＤカウンタ設定インプリメンテーションは、ＡＰを含めた任意のＳＴＡ（例えば、図１に示したＡＰ１０４ａおよび１０４ｂのいずれかならびにＳＴＡ１０６ａ〜１０６ｈのうちのいずれか）によって従われることになる。
【００４０】
ＴＸＯＰリミットに依存するＲＩＤカウンタ設定  
[0045]  いくつかの実装形態では、ロング応答に等しい応答インジケーションフィールド値を有するＰＰＤＵを受信すると、受信ＳＴＡが、ＲＩＤカウンタ値を、ＰＰＤＵが属するＢＳＳに関連づけられたＡＰによってアドバタイズされたＴＸＯＰリミットの値に設定し得る。ＴＸＯＰリミットは、同じＢＳＳに関連づけられた別のＡＰまたはＳＴＡと通信するときに送信ＳＴＡが超えるべきではない時間の量として理解され得る。ＴＸＯＰリミット値は、管理フレームに含まれる、拡張された分散チャネルアクセス（ＥＤＣＡ）パラメータセット要素においてアドバタイズされ得る（例えば、ショートビーコン、プローブ応答、およびＥＤＣＡパラメータセットアクションフレーム）。例えば、ロング応答に設定された応答インジケーションフィールド値を有するＰＰＤＵを受信するＳＴＡは、受信されたＰＰＤＵが受信ＳＴＡと同じＢＳＳに関連づけられたＳＴＡによって生成され送信された場合、受信ＳＴＡに関連づけられたＡＰによってアドバタイズされるＴＸＯＰリミットの値に、そのＲＩＤカウンタを設定し得る。受信されたＰＰＤＵが受信ＳＴＡとは異なるＢＳＳ（ＯＢＳＳ）に関連づけられたＳＴＡによって生成され送信される場合、受信ＳＴＡは、２つの予め定められた値のうちの１つにそのＲＩＤカウンタを設定し得る。第１の代替は、MaxPPDUTxTime値である。第２の代替は、ＯＢＳＳに関連づけられたＳＴＡによってＰＰＤＵが生成され送信されたので、ＯＢＳＳに関連づけられたＡＰによってアドバタイズされたＴＸＯＰリミットの値である。第２の代替が用いられる場合、ＳＴＡは、関連づけられたＴＸＯＰリミット値を含むＯＢＳＳのＡＰによって送信されたフレームを読み取ることによってＯＢＳＳ ＴＸＯＰリミット値を決定し得る。
【００４１】
[0046]  受信されたＰＰＤＵから追加の情報を抽出する受信ＳＴＡの能力、または受信ＳＴＡが記憶していた他の情報に応じて、受信ＳＴＡは、いくつかの方法でＰＰＤＵが同じＢＳＳからのＳＴＡによって生成され送信されたことを決定し得る。第１に、ＰＰＤＵのＭＡＣヘッダ内の受信機アドレス（ＲＡ）フィールドまたは送信機アドレス（ＴＡ）フィールドが、ＢＳＳに関連づけられたＡＰのアドレスと同じである。第２に、２ＭＨｚまたはそれ以上の帯域幅を用いて送信されたロングまたはショートプリアンブルＰＰＤＵについて、ＳＩＧフィールド内のパーシャルＡＩＤフィールドは、ＢＳＳのＡＰにアドレスされる（すなわち、パーシャルＡＩＤは、受信ＳＴＡに関連づけられたＡＰのパーシャルＢＳＳＩＤを識別する）。この場合、１の値を有するＳＩＧフィールド内のアップリンクインジケーションフィールドは、ＰＰＤＵがＢＳＳに関連づけられたＡＰにアドレスされていることの追加の検証をもたらし得る。第３に、ＳＩＧフィールド内のＣＯＬＯＲフィールドは、ＢＳＳに関連づけられたＡＰから最も最近受信されたフレームから受信ＳＴＡが記憶したＣＯＬＯＲフィールド値と同じ値を有する。この場合、０の値を有するＳＩＧフィールド内のアップリンクインジケーションフィールドは、ＡＰによって、またはＡＰに送信していないＳＴＡによってＰＰＤＵが生成されたこと、および、ＰＰＤＵがＢＳＳ内で生成されたかまたは別のＯＢＳＳから生成されたかを決定するためにＣＯＬＯＲフィールドが考慮に入れられるべきであることの、追加の検証をもたらし得る。
【００４２】
[0047]  同様に、受信ＳＴＡは、いくつかの方法でＰＰＤＵが異なるＢＳＳ（ＯＢＳＳ）から制限ＳＴＡによって生成されると決定し得る。第１に、受信されたＰＰＤＵのＭＡＣヘッダ内のＴＡフィールドもＲＡフィールドも、受信ＳＴＡのＢＳＳに関連づけられたＡＰのアドレスと同じではない。第２に、ＰＰＤＵのＳＩＧフィールド内のパーシャルＡＩＤフィールドは、受信されたＰＰＤＵがＢＳＳのＡＰにアドレスされていないことを示す。前述のように、アップリンクインジケーションフィールドは、ＰＰＤＵがアップリンクＰＰＤＵであるかどうかを特定し得、それは、意図された受信機がＡＰであるかどうかの決定に役立つ。第３に、受信されたＰＰＤＵのＳＩＧフィールド内のＣＯＬＯＲフィールドの値は、ＢＳＳのＡＰから最も最近受信されたフレームからの受信ＳＴＡによって記憶されたＣＯＬＯＲフィールドの値とは異なる。前述のように、アップリンクインジケーションフィールドは、ＰＰＤＵがアップリンクであるかどうかを特定するのを助け、それは、ＣＯＬＯＲフィールドがチェックされるべきかどうかの決定に役立つ。一実装形態では、ＣＯＬＯＲフィールドは、常に、アップリンクインジケーションフィールドの値とは独立して（例えば、パーシャルＡＩＤフィールドの一部として）ＳＩＧフィールド内に存在し得る。この実装形態では、受信ＳＴＡは、ＰＰＤＵがそれのＢＳＳ内で生成されたかまたは別のＯＢＳＳ内で生成されたかを決定するために、受信されたＰＰＤＵのＣＯＬＯＲフィールドの値を、記憶されたＣＯＬＯＲフィールドと比較する。いくつかの実装形態では、受信ＳＴＡは、受信されたパケットごとのベースで、記憶されたＣＯＬＯＲ値を変化させ、そして、異なるＣＯＬＯＲ値を備えるＰＰＤＵを受信したときにだけ、そしてまた、受信されたＰＰＤＵ内の応答インジケーションフィールドの値が受信ＳＴＡの現在のＲＩＤカウンタ値よりも大きな応答インジケーション値を示す場合にだけ、記憶されたＣＯＬＯＲ値を更新し得る。この規則は、また、ＣＯＬＯＲフィールドがダウンリンクフレーム内に存在し（すなわち、アップリンクインジケーションフィールドが０に設定され）、ＡＰを特定するパーシャルＢＳＳＩＤがアップリンクフレームに存在するケースにもあてはまり得る。この実装形態では、記憶されたＣＯＬＯＲ値は、記憶されたＣＯＬＯＲ値が関連づけられたＡＰとは異なる宛先ＡＰをアップリンクフレームのパーシャルＡＩＤフィールドが特定する場合に、追加的に更新され得る。
【００４３】
[0048]  ＡＰによって示されるＴＸＯＰリミット値が０であり得る、特定の状況が存在する。このような０の値は、示しているＡＰに関連づけられたいずれのＳＴＡも、応答インジケーションフィールドをロング応答に設定することを許されていないことを示し得る。このような場合、受信ＳＴＡは、ＲＩＤカウンタ値を前述のMaxPPDUTxTimeに設定し得る。
【００４４】
帯域幅に依存するＲＩＤカウンタ設定  
[0049]  他のいくつかの実装形態では、受信ＳＴＡは、ＲＩＤカウンタ値を、受信されたＰＰＤＵの帯域幅（例えば、帯域幅フィールドの値）に基づかせることができる。例えば、応答インジケーションフィールドがロング応答に設定され、帯域幅（ＢＷ）フィールドがＣＢＷＸ（Ｘは帯域幅ＭＨｚの数）に設定された、ＰＰＤＵを受信するＳＴＡは、それのＲＩＤカウンタを、帯域幅Ｘに依存する関数RID_DURATION（ＣＢＷＸ）である値に設定することができる。したがって、非限定的な一例では、ＣＢＷ１は、チャネル帯域幅１ＭＨｚに対応し、ＣＢＷ２が２ＭＨｚ、ＣＢＷ４が４ＭＨｚ、ＣＢＷ８が８ＭＨｚ、ＣＢＷ１６が１６ＭＨｚに対応し得る。
【００４５】
[0050]  受信ＳＴＡに関連づけられたＡＰは、アソシエーションの間、または管理フレームの交換を介して、受信ＳＴＡに関数RID_DURATION（ＣＢＷＸ）の値を示し得る。非限定的な一例では、このようなインジケーションは、潜在的な帯域幅値に関連づけられた値のテーブルの形態をとりうる。代替的に、関数RID_DURATION（ＣＢＷＸ）の値は、受信ＳＴＡによってアプリオリに知られていることもあり得る。このような値は、例えば、テーブルの形態で受信ＳＴＡのメモリ（例えば、メモリ２０６）内に記憶され得る。
【００４６】
[0051]  さらにもう１つの代替形態では、ＲＩＤカウンタ値は、MaxPPDUTxTimeの関数（例えば、RID_DURATION（MaxPPDUTxTime, ＣＢＷＸ）、ここで、RID_DURATION ＝ MaxPPDUTxTime／ＣＢＷＸ）であり得る。非限定的な一例では、ＲＩＤカウンタ値は、１ＭＨｚのＢＷについて約２７ｍｓ／１、２ＭＨｚについて２７ｍｓ／２、４ＭＨｚについて２７ｍｓ／４、８ＭＨｚについて２７ｍｓ／８、１６ＭＨｚについて２７ｍｓ／１６であり得る。しかしながら、このような値は、例示的なものであって非限定的なものではなく、予め定められた値およびチャネル帯域幅に基づく任意の値をとり得る。
【００４７】
[0052]  さらに別の代替形態では、受信ＳＴＡは、受信されたＰＰＤＵ内の情報のいずれかを使用して（例えば、ＢＷフィールド、ＭＣＳフィールド、ＳＳフィールド、またはパーシャルＡＩＤフィールド）、予め定められた量のペイロードデータ（例えば、最大の許容される（Ａ−）ＭＰＤＵサイズ）を送信するために必要とされる推定された時間としてＲＩＤカウンタ値を計算し得る。
【００４８】
アクセスポイントによって示されるＲＩＤカウンタ設定  
[0053]  さらに他の実装形態では、受信ＳＴＡに関連づけられたＡＰは、応答インジケーションフィールドがロング応答に設定されたＰＰＤＵを受信するときに、ＲＩＤカウンタを設定するために関連ＳＴＡが使用する、ＲＩＤ  Ｄｕｒａｔｉｏｎ時間を示し得る。ＡＰは、アソシエーションの間に、または管理フレーム（例えば、ショートビーコンまたはアクションフレーム）の交換を通じて、このようなＲＩＤ  Ｄｕｒａｔｉｏｎ時間を示し得る。ゆえに、ロング応答に等しい応答インジケーションフィールドを有するＰＰＤＵを受信するＳＴＡは、受信されたＰＰＤＵが受信ＳＴＡと同じＢＳＳに関連づけられたＳＴＡによって生成された場合、そのＲＩＤカウンタを、受信ＳＴＡに関連づけられたＡＰによってアドバタイズされたＲＩＤ  Ｄｕｒａｔｉｏｎ時間の値に設定し得る。受信されたＰＰＤＵが受信ＳＴＡとは異なるＢＳＳ（ＯＢＳＳ）に関連づけられたＳＴＡによって生成された場合、受信ＳＴＡは、そのＲＩＤカウンタを予め定められた静的な値（例えば、MaxPPDUTxTime）に設定し得る。
【００４９】
[0054]  本願は前述した実装形態の任意の組合せの使用を企図しているので、上記実装形態は、個々での使用（use in isolation）に限定されるものではない。
【００５０】
[0055]  図５は、例示的な実装形態による、ワイヤレス通信のための方法のフローチャート５００である。該方法は、ワイヤレス局（例えば、図１のＳＴＡ１０６ａ〜１０６ｄ、図２のワイヤレスデバイス２０２としてより詳細に示されている）によって実施され得る。方法のいくつかの実装形態は、応答インジケーションフィールド値がロング応答に設定されたワイヤレスデータフレームを受信することに応答して、受信ワイヤレスデバイスセットの過剰な延期時間を短縮することによって、ワイヤレスネットワークリソースの改善された割当てをもたらし得る。
【００５１】
[0056]  フローチャート５００は、期待される応答のタイプを示す応答インジケーションを備える物理層プロトコルデータユニット（ＰＰＤＵ）を受信することを含む、ブロック５０２から始まり、期待される応答のタイプは、期待される応答なし（no expected response）、ヌルデータパケットの期待される応答（a null data packet expected response）、第１の長さを有する期待される応答（an expected response having a first length）、および第１の長さよりも長い第２の長さを有する期待される応答（an expected response having a second length longer than the first length）、のうちの少なくとも１つを含む。応答インジケーションは、第２の長さを有する期待される応答を示す。このようなＰＰＤＵは、上記のＴＸＯＰリミットに依存するＲＩＤカウンタ設定のセクション、帯域幅に依存するＲＩＤカウンタ設定のセクション、およびアクセスポイントによって示されるＲＩＤカウンタ設定のセクションのいずれかに関連して前述したものであり得る。
【００５２】
[0057]  ブロック５０４は、第１のＰＰＤＵの少なくとも１つのパラメータの値に基づいて応答インジケーション延期カウンタの値を設定することを含む。上記のＴＸＯＰリミットに依存するＲＩＤカウンタ設定のセクションで説明したように、値は、ＰＰＤＵが受信ＳＴＡと同じＢＳＳ内のＳＴＡによって生成され送信されたか、または別のＢＳＳ（ＯＢＳＳ）内のＳＴＡによって生成され送信されたかに応じて、受信ＳＴＡのＢＳＳについてのＴＸＯＰリミット値、ＯＢＳＳについてのＴＸＯＰリミット値、または予め定められた静的値（例えば、MaxPPDUTxTime）のうちの１つであり得る。このような実装形態では、少なくとも１つのパラメータは、ＰＰＤＵが受信ＳＴＡと同じＢＳＳ内のＳＴＡによって生成され送信されたかまたは別のＢＳＳ（ＯＢＳＳ）内のＳＴＡによって生成され送信されたかを決定するためにＳＴＡが用い得る、ＰＰＤＵのＭＡＣヘッダ内のＲＡフィールドおよび／またはＴＡフィールド、および／またはＰＰＤＵのプリアンブルのＳＩＧフィールド内のパーシャルＡＩＤ、アップリンク、またはＣＯＬＯＲフィールドを備え得る。
【００５３】
[0058]  上記の帯域幅に依存するＲＩＤカウンタ設定のセクションで説明したように、応答インジケーション延期カウンタの値は、受信されたＰＰＤＵの帯域幅に応じて決定され得、あるいは、受信されたＰＰＤＵの帯域幅を用いて所与の量のペイロードデータを送信するために必要とされる推定または計算された時間として決定され得る。このような実装形態では、少なくとも１つのパラメータは、前述したように、ＰＰＤＵのＳＩＧフィールド内の、ＢＷフィールド、ＭＣＳフィールド、ＳＳフィールド、またはパーシャルＡＩＤフィールドのうちの１つまたは複数を備え得る。ＡＰが、受信されたＰＰＤＵの潜在的な帯域幅に関連づけられた値を示す場合、該方法は、アクセスポイントからメッセージを受信することをさらに含み得、該メッセージは、ＰＰＤＵの潜在的な複数の帯域幅の各々についての応答インジケーション延期カウンタの値を示す。
【００５４】
[0059]  上記アクセスポイントによって示されるＲＩＤカウンタ設定のセクションで説明したように、応答インジケーション延期カウンタの値は、受信されたＰＰＤＵが受信ＳＴＡと同じＢＳＳに関連づけられたＳＴＡによって生成され送信された場合、アソシエーションの間に、または管理ＰＰＤＵ（例えば、ショートビーコン、またはアクションＰＰＤＵ）の交換を通じて、受信ＳＴＡに関連づけられたＡＰによって前もって示され得る。受信されたＰＰＤＵがＯＢＳＳに関連づけられたＳＴＡによって生成され送信された場合、応答インジケーション延期カウンタの値は、予め定められた値（例えば、MaxPPDUTxTime）であり得る。このような実装形態では、少なくとも１つのパラメータは、ＰＰＤＵのＭＡＣヘッダ内のＲＡフィールドおよび／またはＴＡフィールド、および／またはＰＰＤＵのプリアンブルのＳＩＧフィールド内のパーシャルＡＩＤ、アップリンク、またはＣＯＬＯＲフィールドを備え得る。ＳＴＡは、前述したように、ＰＰＤＵが受信ＳＴＡと同じＢＳＳにおいてＳＴＡによって生成され送信されたか、あるいは別のＢＳＳ（ＯＢＳＳ）内のＳＴＡによって生成され送信されたかを決定するために、これらのフィールドの１つまたは複数における値を利用し得る。ＡＰがＲＩＤカウンタについての適切な値を示す場合、該方法は、アクセスポイントからの値を示すメッセージを受信することを含むステップをさらに含み得る。
【００５５】
[0060]  本願は前述した実装形態の任意の組合せの使用を企図しているので、上記実装形態は、個々での使用に限定されるものではない。
【００５６】
ＲＩＤカウンタ値の動的更新  
[0061]  従来、ＳＴＡは、ＳＴＡが新しいパケットを受け取るたびにそのＲＩＤカウンタ値を更新する。これは、ロング応答に設定された応答インジケーションフィールドを有する直前に受信されたフレームがＯＢＳＳによって送信され、新たに受信されたフレームが別のＢＳＳ内のＳＴＡによって送信された場合、望ましくないことがある。例えば、このようなケースは、ＯＢＳＳ内のＳＴＡが依然として受信ＳＴＡから隠れた進行中の伝送を有し得るとしても、受信ＳＴＡがそのＲＩＤをリセットする（例えば、ロング応答持続時間についてカウントダウンするのではなく）という結果をまねく。したがって、ＰＰＤＵを受信すると自動的にそのＲＩＤカウンタを更新する代わりに、ＰＰＤＵを受信するＳＴＡがそのＲＩＤカウンタ値を更新すべきかどうかの動的な決定をそれによってなしうるメカニズムを定義することが望ましい可能性がある。
【００５７】
[0062]  図６は、他の例示的な実装形態による、ワイヤレス通信のための方法のフローチャート６００である。方法６００は、ワイヤレス局（例えば、図１のＳＴＡ１０６ａ〜１０６ｈまたはＡＰ１０４ａおよび１０４ｂ、図２にワイヤレスデバイス２０２としてより詳細に示されている）によって実施され得る。
【００５８】
[0063]  ブロック６０２は、第１の物理層プロトコルデータユニット（ＰＰＤＵ）を受信することを含む。第１のＰＰＤＵは、また、そのＲＩＤカウンタ値を更新するために受信ＳＴＡが使用した最新の（latest）ＰＰＤＵでもあり得る。
【００５９】
[0064]  いくつかの実装形態では、受信ＳＴＡは、メモリデバイス（例えば、図２に示されたワイヤレスデバイス２０２のメモリ２０６）内の第１のＰＰＤＵの少なくとも１つのパラメータの値を記憶し得る。前述のように、少なくとも１つのパラメータは、第１の受信ＰＰＤＵ（例えば、第１のＰＰＤＵ）が関連づけられたＢＳＳを識別するために受信ＳＴＡによって利用され得る、受信ＰＰＤＵのＳＩＧフィールド内のＣＯＬＯＲフィールドの値を備え得る。ＣＯＬＯＲフィールドが存在しない（例えば、ＰＰＤＵが１ＭＨｚ帯域幅ＰＰＤＵである、あるいは、２ＭＨｚ以上の帯域幅を用いて送信されたＰＰＤＵのアップリンクインジケーションフィールドがゼロに設定された）実装形態では、受信ＳＴＡは、−１の値（または０〜７以外の任意の値）を記憶し得る。ＣＯＬＯＲフィールドが存在しない代替形態では、少なくとも１つのパラメータは、受信されたＰＰＤＵのＳＩＧフィールド内にパーシャルＡＩＤフィールドを備え、それは、代替的に、第１の受信されたＰＰＤＵが関連づけられたＢＳＳを識別するためにＳＴＡによって使用され得る。他の代替形態では、少なくとも１つのパラメータは、第１のＰＰＤＵが関連づけられたＢＳＳを識別するためにＭＡＣヘッダのＢＳＳのＡＰを識別するＲＡまたはＴＡフィールドを備え得る。
【００６０】
[0065]  ブロック６０４は、第２のＰＰＤＵを受信することを含む。いくつかの実装形態では、第２のＰＰＤＵは、図５のフローチャート５００のブロック５０２に関して前述されたＰＰＤＵであり得る。したがって、いくつかの実装形態では、フローチャート５００は、図６のフローチャート６００の続きであり得る。
【００６１】
[0066]  ブロック６０６は、第２のＰＰＤＵが第１のＰＰＤＵと同じ基本サービスセットに関連づけられるときに、応答インジケーション延期カウンタの値を第２のＰＰＤＵによって示された値に更新することを含む。前述したように、第１のＰＰＤＵのＣＯＬＯＲフィールドの値が第２のＰＰＤＵのＣＯＬＯＲフィールドの値と同じである場合、受信ＳＴＡは、第１のＰＰＤＵおよび第２のＰＰＤＵが同じＢＳＳに関連づけられたＳＴＡまたはＡＰによって生成されたことを決定し得る。このような場合、第２のＰＰＤＵを送信しているワイヤレス通信デバイスは、受信ＳＴＡと同じＢＳＳに関連づけられ、したがって、ＰＰＤＵ交換に関与しているＳＴＡのうちの少なくとも１つは、隠れノードではないことになる。このような場合、受信ＳＴＡは、図５に関して前述したように、第２のＰＰＤＵのＳＩＧフィールド内のフィールドからポピュレートされたＲＸＶＥＣＴＯＲパラメータの値に基づいてそのＲＩＤカウンタ値を更新し得る。同じ決定および論理は、前述したように、ＣＯＬＯＲフィールドではなくパーシャルＡＩＤフィールドを用いて適用され得る。
【００６２】
[0067]  第１および第２のＰＰＤＵに関連づけられたＢＳＳが同じでない（例えば、異なる）場合、受信ワイヤレスデバイスは、そのような更新が現在のＲＩＤカウンタ値よりも大きな（あるいは、一部の実装形態では等しい）ＲＩＤカウンタ値をもたらす場合にのみ、第２のＰＰＤＵによって示されるようにそのＲＩＤカウンタ値を更新し得る（例えば、更新値は、現在のＲＩＤカウンタ値よりも小さいものではない）。いくつかの実装形態では、ＲＩＤカウンタの現在の値は、第２のＰＰＤＵの終端が受信ワイヤレスデバイスによって受信された時点（例えば、第２の通信ＰＰＤＵの最後のビットが受信ＳＴＡによって受信された時点）でのＲＩＤカウンタの値に対応し得る。このように、受信ＳＴＡが別のＢＳＳ（ＯＢＳＳ）に関連づけられた第２のＰＰＤＵを受信するときには、受信ＳＴＡは、受信ＳＴＡが早まって送信を開始した場合に潜在的なデータ送信衝突をまねく、より低い値へと、そのＲＩＤカウンタ値を誤ってリセットしないことになる。
【００６３】
[0068]  本明細書で使用されるとき、「決定すること」という用語は、幅広い動作を含む。例えば、「決定すること」は、算出すること、計算すること、処理すること、導出すること、調査すること、ルックアップすること（例えば、テーブル、データベースまたは別のデータ構造においてルックアップすること）、確かめること、等を含みうる。また、「決定すること」は、受信すること（例えば、情報を受信すること）、アクセスすること（例えば、メモリ内のデータにアクセスすること）、等を含みうる。また、「決定すること」は、解決すること、選択すること、選ぶこと、確立することなどを含みうる。さらに、本明細書で使用されるとき、「チャネル帯域幅」は、ある特定の態様において、帯域幅を包含することもあり、または帯域幅とも呼ばれ得る。
【００６４】
[0069]  本明細書で使用されるとき、項目のリスト「のうちの少なくとも１つ」というフレーズは、単一の要素を包含する、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするように意図される。
【００６５】
[0070]  上述された方法のさまざまな動作は、それらの動作を実行することができる任意の適切な手段、例えば、さまざまなハードウェアおよび／またはソフトウェアの（複数を含む）コンポーネント、回路、および／または（複数を含む）モジュールによって実行され得る。一般的に、図に示した任意の動作は、それらの動作を実行することができる対応する機能的手段によって実行され得る。
【００６６】
[0071]  本開示に関連して説明された、さまざまな例示的な論理ブロック、モジュール、および回路は、本明細書において説明された機能を実行するように設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、ディスクリートゲートまたはトランジスタ論理、ディスクリートハードウェア・コンポーネント、またはそれらの任意の組み合わせを用いて、実現または実行されることができる。汎用プロセッサは、マイクロプロセッサでありうるが、代替として、このプロセッサは、任意の商業的に利用可能なプロセッサ、コントローラ、マイクロコントローラ、またはステートマシン（state machine）でありうる。プロセッサはまた、コンピューティングデバイスの組み合わせとして、例えば、ＤＳＰとマイクロプロセッサの組み合わせ、複数のマイクロプロセッサ、ＤＳＰコアを備えた１つまたは複数のマイクロプロセッサ、あるいは、このような他の任意の構成として実装され得る。
【００６７】
[0072]  １つまたは複数の態様では、説明された機能は、ハードウェア、ソフトウェア、ファームウェア、またはこれらの任意の組み合わせで実装されうる。ソフトウェアにおいて実装される場合、機能は、コンピュータ可読媒体上の１つまたは複数の命令またはコードとして記憶または送信されうる。コンピュータ可読媒体は、コンピュータ記憶媒体と１つの場所から別の場所へのコンピュータプログラムの移動を容易にする任意の媒体を含む通信媒体との両方を含む。記憶媒体は、コンピュータによってアクセスされることができる任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは命令もしくはデータ構造の形で所望のプログラムコードを搬送または記憶するよう使用されることができ、コンピュータによってアクセスされることができる任意の他の媒体を備えることができる。また、任意の接続は、適切にコンピュータ可読媒体と呼ばれる。例えば、ソフトウェアがウェブサイト、サーバ、または他の遠隔ソースから、同軸ケーブル、光ファイバーケーブル、ツイストペア、デジタル加入者回線（ＤＳＬ）、あるいは赤外線、無線、およびマイクロ波のようなワイヤレス技法を使用して送信される場合、同軸ケーブル、光ファイバーケーブル、ツイストペア、ＤＳＬ、あるいは赤外線、無線、およびマイクロ波のようなワイヤレス技術は、送信媒体の定義に含まれている。ディスク（disk）およびディスク（disc）は、本明細書で使用される場合、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイディスク（disc）を含み、ディスク（disk）は通常、データを磁気的に再生するが、ディスク（disc）は、レーザーを用いて光学的にデータを再生する。したがって、いくつかの態様では、コンピュータ可読媒体は、非一時的なコンピュータ可読媒体（例えば、有形媒体）を備えうる。加えて、いくつかの態様では、コンピュータ可読媒体は、一時的なコンピュータ可読媒体（例えば、信号）を備えうる。上記の組み合わせはまた、コンピュータ可読媒体の範囲内に含まれるべきである。
【００６８】
[0073]  本明細書に開示された方法は、説明された方法を達成するための１つまたは複数のステップまたは動作を備える。方法のステップおよび／または動作は、特許請求の範囲から逸脱することなく互いに置き換えられうる。すなわち、ステップまたは動作の特定の順序が指定されない限り、特定のステップおよび／または動作の順序および／または使用は、本願の特許請求の範囲から逸脱せずに変更され得る。
【００６９】
[0074]  説明された機能は、ハードウェア、ソフトウェア、ファームウェア、またはこれらの任意の組み合わせで実装されうる。ソフトウェアにおいて実装される場合、機能は、1つまたは複数の命令群として、コンピュータ可読媒体上で記憶され得る。記憶媒体は、コンピュータによってアクセスされることができる任意の入手可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは命令もしくはデータ構造の形で所望のプログラムコードを搬送または記憶するよう使用されることができ、コンピュータによってアクセスされることができる任意の他の媒体を備えることができる。ディスク（disk）およびディスク（disc）は、本明細書で使用される場合、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は通常、データを磁気的に再生するが、ディスク（disc）は、レーザーを用いて光学的にデータを再生する。
【００７０】
[0075]  したがって、ある態様は、ここで提示された動作を実行するためのコンピュータプログラム製品を備え得る。例えば、こういったコンピュータ・プログラム・プロダクトは、そこに格納された（および／またはエンコードされた）命令を有するコンピュータ可読媒体を備え、その命令は、ここに記載された動作を実行するために１つまたは複数のプロセッサによって実行可能である。特定の態様については、コンピュータプログラム製品は、パッケージング材料を含み得る。
【００７１】
[0076]  ソフトウェアまたは命令はまた、送信媒体を介して送信され得る。例えば、ソフトウェアが、同軸ケーブル、光ファイバーケーブル、ツイストペア、デジタル加入者回線（ＤＳＬ）、または赤外線、電波、およびマイクロ波のようなワイヤレス技術を使用して、ウェブサイト、サーバ、または他の遠隔ソースから送信される場合、この同軸ケーブル、光ファイバーケーブル、ツイストペア、ＤＳＬ、または赤外線、電波、およびマイクロ波のようなワイヤレス技術は、媒体の定義に含まれる。
【００７２】
[0077]  さらに、ここに説明された方法および技法を実行するためのモジュールおよび／または他の適切な手段が、ダウンロードされることができること、および／または、そうでなければ、ユーザ端末および／または基地局によって、適用可能に得られることが理解されるべきである。例えば、そのようなデバイスは、本明細書で説明された方法を遂行するための手段の移動を容易にするためにサーバに結合されることができる。代替的に、ここで説明された様々な方法は、デバイスに記憶手段を結合または提供することによりユーザ端末および／または基地局が様々な方法を取得できるように、記憶手段（例えば、ＲＡＭ、ＲＯＭ、コンパクトディスク（ＣＤ）またはフロッピーディスクのような物理記憶媒体、等）を介して提供されることができる。その上、本明細書で説明された方法および技法をデバイスに提供するための任意の他の適した技法が利用されることができる。
【００７３】
[0078]  本願の特許請求の範囲が、上述の厳密な構成およびコンポーネントのみに限定されないことが、理解されるべきである。様々な修正、変更、および変形が、上記に説明された方法および装置の配置、動作および詳細において、特許請求の範囲から逸脱することなく行われうる。
【００７４】
[0079]  以上は本開示の諸態様を対象としているが、本開示の他のおよびさらなる態様が、その基本的な範囲から逸脱することなく考案され得、その範囲は、添付の特許請求の範囲によって決定される。
以下に本願の出願当初の特許請求の範囲に記載された発明を付記する。
［Ｃ１］
ワイヤレス通信のための方法であって、
第１の物理層プロトコルデータユニット（ＰＰＤＵ）を受信することと、
第２のＰＰＤＵを受信することと、
前記第２のＰＰＤＵが前記第１のＰＰＤＵと同じ基本サービスセットに関連づけられるときに、応答インジケーション延期カウンタの値を前記第２のＰＰＤＵによって示された値に更新することと、
を備える方法。
［Ｃ２］
前記第２のＰＰＤＵが前記第１のＰＰＤＵとは異なる基本サービスセットに関連づけられ、前記示された値が前記応答インジケーション延期カウンタの現在の値よりも小さいものではないときに、前記応答インジケーション延期カウンタを前記第２のＰＰＤＵによって示された前記値に更新することをさらに備える、Ｃ１に記載の方法。
［Ｃ３］
前記応答インジケーション延期の前記現在の値が、前記第２のＰＰＤＵの終端が受信されたときの前記応答インジケーション延期カウンタの値に対応する、Ｃ２に記載の方法。
［Ｃ４］
前記第２のＰＰＤＵのアップリンクインジケーションフィールドがアップリンクＰＰＤＵを示し、前記第２のＰＰＤＵのパーシャルアソシエーション識別情報（パーシャルＡＩＤ）フィールドが前記第１のＰＰＤＵの前記基本サービスセットに関連づけられたアクセスポイントのアドレスを示すときに、前記第２のＰＰＤＵが前記第１のＰＰＤＵと同じ基本サービスセットに関連づけられると決定することをさらに備える、Ｃ１に記載の方法。
［Ｃ５］
前記第２のＰＰＤＵのアップリンクインジケーションフィールドがダウンリンクＰＰＤＵを示し、前記第２のＰＰＤＵのＣＯＬＯＲフィールドが、前記第１のＰＰＤＵの前記基本サービスセットに関連づけられたアクセスポイントによって前記第２のＰＰＤＵが生成されたことを示すときに、前記第２のＰＰＤＵが前記第１のＰＰＤＵと同じ基本サービスセットに関連づけられると決定することをさらに備える、Ｃ１に記載の方法。
［Ｃ６］
前記第１のＰＰＤＵの少なくとも１つのパラメータに基づいて前記第１のＰＰＤＵに関連づけられた前記基本サービスセットを決定することと、
前記第２のＰＰＤＵの少なくとも１つのパラメータに基づいて前記第２のＰＰＤＵに関連づけられた前記基本サービスセットを決定することと、
をさらに備える、Ｃ１に記載の方法。
［Ｃ７］
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、前記方法は、
前記第２のＰＰＤＵの帯域幅フィールド内のインジケーションに基づいて、前記応答インジケーション延期カウンタの前記値を最大ＰＰＤＵ送信時間に設定することをさらに備える、Ｃ１に記載の方法。
［Ｃ８］
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、前記方法は、
前記応答インジケーション延期カウンタの前記値を、前記第２のＰＰＤＵに関連づけられた前記基本サービスセットの送信機会リミットに設定することをさらに備える、
Ｃ１に記載の方法。
［Ｃ９］
ワイヤレス通信のための装置であって、
第１のＰＰＤＵを受信することと、第２のＰＰＤＵを受信することとを行うように構成された受信機と、
前記第２のＰＰＤＵが前記第１のＰＰＤＵと同じ基本サービスセットに関連づけられるときに、応答インジケーション延期カウンタを前記第２のＰＰＤＵによって示された値に更新するように構成されたプロセッサと、
を備える装置。
［Ｃ１０］
前記プロセッサが、前記第２のＰＰＤＵが前記第１のＰＰＤＵとは異なる基本サービスセットに関連づけられ、前記示された値が前記応答インジケーション延期カウンタの現在の値よりも小さいものではないときに、前記応答インジケーション延期カウンタを前記第２のＰＰＤＵによって示された前記値に更新するようにさらに構成された、Ｃ９に記載の装置。
［Ｃ１１］
前記応答インジケーション延期の前記現在の値が、前記第２のＰＰＤＵの終端が受信されたときの前記応答インジケーション延期カウンタの値に対応する、Ｃ１０に記載の装置。
［Ｃ１２］
前記プロセッサが、前記第２のＰＰＤＵのアップリンクインジケーションフィールドがアップリンクＰＰＤＵを示し、前記第２のＰＰＤＵのパーシャルＡＩＤフィールドが前記第１のＰＰＤＵの前記基本サービスセットに関連づけられたアクセスポイントのアドレスを示すときに、前記第２のＰＰＤＵが前記第１のＰＰＤＵと同じ基本サービスセットに関連づけられると決定するようにさらに構成された、Ｃ９に記載の装置。
［Ｃ１３］
前記プロセッサが、前記第２のＰＰＤＵのアップリンクインジケーションフィールドがダウンリンクＰＰＤＵを示し、前記第２のＰＰＤＵのＣＯＬＯＲフィールドが、前記第１のＰＰＤＵの前記基本サービスセットに関連づけられたアクセスポイントによって前記第２のＰＰＤＵが生成されたことを示すときに、前記第２のＰＰＤＵが前記第１のＰＰＤＵと同じ基本サービスセットに関連づけられると決定するようにさらに構成された、Ｃ９に記載の装置。
［Ｃ１４］
前記プロセッサが、
前記第１のＰＰＤＵの少なくとも１つのパラメータに基づいて前記第１のＰＰＤＵに関連づけられた前記基本サービスセットを決定することと、
前記第２のＰＰＤＵの少なくとも１つのパラメータに基づいて前記第２のＰＰＤＵに関連づけられた前記基本サービスセットを決定することと、を行うようにさらに構成された、
Ｃ９に記載の装置。
［Ｃ１５］
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、
前記プロセッサは、前記第２のＰＰＤＵの帯域幅フィールド内のインジケーションに基づいて、前記応答インジケーション延期カウンタの前記値を最大ＰＰＤＵ送信時間に設定するようにさらに構成された、Ｃ９に記載の装置。
［Ｃ１６］
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、
前記プロセッサは、前記応答インジケーション延期カウンタの前記値を、前記第２のＰＰＤＵに関連づけられた前記基本サービスセットの送信機会リミットに設定するようにさらに構成された、Ｃ９に記載の装置。
［Ｃ１７］
実行されたときにワイヤレス通信の方法をプロセッサに実行させるコードを備える、非一時的なコンピュータ可読媒体であって、前記方法は、
第１のＰＰＤＵを受信することと、
第２のＰＰＤＵを受信することと、
前記第２のＰＰＤＵが前記第１のＰＰＤＵと同じ基本サービスセットに関連づけられるときに、応答インジケーション延期カウンタの値を前記第２のＰＰＤＵによって示された値に更新することと、
を備える、非一時的なコンピュータ可読媒体。
［Ｃ１８］
前記コードは、実行されたときに、前記第２のＰＰＤＵが前記第１のＰＰＤＵとは異なる基本サービスセットに関連づけられ、前記第２のＰＰＤＵによって示された前記値が前記応答インジケーション延期カウンタの現在の値よりも小さいものではないときに、前記応答インジケーション延期カウンタを前記第２のＰＰＤＵによって示された前記値に更新することをさらに備える前記方法を前記プロセッサに実行させる、Ｃ１７に記載の媒体。
［Ｃ１９］
前記応答インジケーション延期の前記現在の値が、前記第２のＰＰＤＵの終端が受信されたときの前記応答インジケーション延期カウンタの値に対応する、Ｃ１８に記載の媒体。
［Ｃ２０］
前記コードは、実行されたときに、前記第２のＰＰＤＵのアップリンクインジケーションフィールドがアップリンクＰＰＤＵを示し、前記第２のＰＰＤＵのパーシャルＡＩＤフィールドが前記第１のＰＰＤＵの前記基本サービスセットに関連づけられたアクセスポイントのアドレスを示すときに、前記第２のＰＰＤＵが前記第１のＰＰＤＵと同じ基本サービスセットに関連づけられると決定することをさらに備える前記方法を前記プロセッサに実行させる、Ｃ１７に記載の媒体。
［Ｃ２１］
前記コードは、実行されたときに、前記第２のＰＰＤＵのアップリンクインジケーションフィールドがダウンリンクＰＰＤＵを示し、前記第２のＰＰＤＵのＣＯＬＯＲフィールドが、前記第１のＰＰＤＵの前記基本サービスセットに関連づけられたアクセスポイントによって前記第２のＰＰＤＵが生成されたことを示すときに、前記第２のＰＰＤＵが前記第１のＰＰＤＵと同じ基本サービスセットに関連づけられると決定することをさらに備える前記方法を前記プロセッサに実行させる、Ｃ１７に記載の媒体。
［Ｃ２２］
前記コードは、実行されたときに、
前記第１のＰＰＤＵの少なくとも１つのパラメータに基づいて前記第１のＰＰＤＵに関連づけられた前記基本サービスセットを決定することと、
前記第２のＰＰＤＵの少なくとも１つのパラメータに基づいて前記第２のＰＰＤＵに関連づけられた前記基本サービスセットを決定することと、
をさらに備える前記方法を前記プロセッサに実行させる、Ｃ１７に記載の媒体。
［Ｃ２３］
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、前記方法は、
前記第２のＰＰＤＵの帯域幅フィールド内のインジケーションに基づいて、前記応答インジケーション延期カウンタの前記値を最大ＰＰＤＵ送信時間に設定することをさらに備える、Ｃ１７に記載の媒体。
［Ｃ２４］
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、前記方法は、
前記応答インジケーション延期カウンタの前記値を、前記第２のＰＰＤＵに関連づけられた前記基本サービスセットの送信機会リミットに設定することをさらに備える、Ｃ１７に記載の媒体。
［Ｃ２５］
ワイヤレス通信のための装置であって、
第１のＰＰＤＵを受信するための手段と、
第２のＰＰＤＵを受信するための手段と、
前記第２のＰＰＤＵが前記第１のＰＰＤＵと同じ基本サービスセットに関連づけられるときに、応答インジケーション延期カウンタを前記第２のＰＰＤＵによって示された値に更新するための手段と、
を備える装置。
［Ｃ２６］
前記第２のＰＰＤＵが前記第１のＰＰＤＵとは異なる基本サービスセットに関連づけられ、前記示された値が前記応答インジケーション延期カウンタの現在の値よりも小さいものではないときに、前記応答インジケーション延期カウンタを前記第２のＰＰＤＵによって示された値に更新するための手段をさらに備える、Ｃ２５に記載の装置。
［Ｃ２７］
前記第２のＰＰＤＵのアップリンクインジケーションフィールドがアップリンクＰＰＤＵを示し、前記第２のＰＰＤＵのパーシャルＡＩＤフィールドが前記第１のＰＰＤＵの前記基本サービスセットのアクセスポイントのアドレスを示すときに、前記第２のＰＰＤＵが前記第１のＰＰＤＵと同じ基本サービスセットに関連づけられることを決定するための手段をさらに備える、Ｃ２５に記載の装置。
［Ｃ２８］
前記第２のＰＰＤＵのアップリンクインジケーションフィールドがダウンリンクＰＰＤＵを示し、前記第２のＰＰＤＵのＣＯＬＯＲフィールドが前記第１のＰＰＤＵの前記基本サービスセットに関連づけられたアクセスポイントによって前記第２のＰＰＤＵが生成されたことを示すときに、前記第２のＰＰＤＵが前記第１のＰＰＤＵと同じ基本サービスセットに関連づけられると決定するための手段をさらに備える、Ｃ２５に記載の装置。
［Ｃ２９］
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、前記装置が、
前記第２のＰＰＤＵの帯域幅フィールド内のインジケーションに基づいて、前記応答インジケーション延期カウンタの前記値を最大ＰＰＤＵ送信時間に設定するための手段をさらに備える、Ｃ２５に記載の装置。
［Ｃ３０］
前記第２のＰＰＤＵが、期待される応答のタイプを示す応答インジケーションを備え、前記期待される応答のタイプが、期待される応答なし、ヌルデータパケットの期待される応答、第１の長さを有する期待される応答、および前記第１の長さよりも長い第２の長さを有する期待される応答、のうちの少なくとも１つを含み、前記応答インジケーションは、前記第２の長さを有する前記期待される応答を示し、前記装置が、
前記応答インジケーション延期カウンタの前記値を、前記第２のＰＰＤＵに関連づけられた前記基本サービスセットの送信機会リミットに設定するための手段をさらに備える、Ｃ２５に記載の装置。
【図１】
0006392338.tif 000002
【図２】
0006392338.tif 000003
【図３】
0006392338.tif 000004
【図４】
0006392338.tif 000005
【図５】
0006392338.tif 000006
【図６】
0006392338.tif 000007